(57)【要約】【課題】挿入口が塞がれた状態で無理に記録媒体が挿入されようとしても、挿入口を閉じたままに保つことができるシャッタ部材及びシャッタ部材を備えた情報処理装置を提供する。【解決手段】ＣＤプレーヤ１は機器本体３と開閉機構４を備えている。機器本体３には内側にＣＤ２が通される挿入口１６が設けられている。開閉機構４は挿入口１６が塞がれる閉塞位置と前記挿入口１６が開放される開放位置とに亘って移動自在に設けられたシャッタ部材２８を備えている。シャッタ部材２８は機器本体３に閉塞位置と開放位置とに亘って移動自在に設けられたシャッタ本体２９とシャッタ本体２９の前面３２ａから凹でかつＣＤ２の外縁が挿入可能な挿入凹部３０とを備えている。【選択図】図８
2011192362.tif 000002
【特許請求の範囲】
【請求項１】
機器本体に設けられかつ内側に記録媒体が通される挿入口が塞がれる閉塞位置と、前記挿入口が開放される開放位置とに亘って移動自在に設けられたシャッタ部材において、
前記機器本体に前記閉塞位置と前記開放位置とに亘って移動自在に設けられたシャッタ本体と、
前記シャッタ本体の前面から凹でかつ前記記録媒体の外縁が挿入可能な挿入凹部と、
を備えたことを特徴とするシャッタ部材。
【請求項２】
前記シャッタ本体の長手方向の中央部には、前記閉塞位置において、前記機器本体に取り付けられて前記記録媒体を案内するガイド部材を内側に位置付ける部材用切欠きが設けられており、
前記挿入凹部が、前記部材用切欠きを互いの間に位置付ける位置に一対設けられていることを特徴とする請求項１記載のシャッタ部材。
【請求項３】
前記挿入凹部が、前記閉塞位置において、その内面のうちの互いに間隔をあけた上縁内面と下縁内面との間に前記ガイド部材の下面を位置付ける位置に設けられていることを特徴とする請求項２記載のシャッタ部材。
【請求項４】
前記シャッタ本体が、
前記機器本体に前記閉塞位置と前記開放位置とに亘って移動自在に取り付けられた本体部材と、
前記本体部材の前面に取り付けられかつ前記挿入凹部が設けられた前面側部材と、
を備えたことを特徴とする請求項１又は請求項２記載のシャッタ部材。
【請求項５】
機器本体と、
記録媒体を前記機器本体の内外に搬送する際に、前記記録媒体が内側を通る挿入口を開閉するシャッタ部材と、を備えた情報処理装置において、
前記シャッタ部材として、請求項１ないし請求項４のうちいずれか一項に記載のシャッタ部材を備えたことを特徴とする情報処理装置。
【発明の詳細な説明】
【技術分野】
【０００１】
本発明は、例えば、記録媒体再生装置などの情報処理装置の機器本体に記録媒体を出し入れする挿入口を開閉するシャッタ部材及び該シャッタ部材を備えた情報処理装置に関する。
【背景技術】
【０００２】
ＣＤ（Compact Disk）やＤＶＤ（Digital Versatile Disc）やＢＤ（Blu-ray Disc）などの記録媒体から情報を読み出す情報処理装置は、箱状の機器本体と、この機器本体内に収容された再生機構などを備えている。機器本体は、情報処理装置の外殻を形成し、前述した記録媒体を出し入れする挿入口を設けている。再生機構は、機器本体内に収容されており、該機器本体内に収容された記録媒体の情報を読み出して再生する。
【０００３】
前述した従来の情報処理装置は、前述した挿入口を通して、機器本体内にゴミや埃などが侵入することを防止するシャッタ部材を更に備えている。シャッタ部材は、前述した機器本体の前記挿入口が設けられたシャーシ部材に取り付けられて、前記挿入口が塞される閉塞位置と前記挿入口が開放される開放位置とに亘って移動自在に設けられている。前記シャッタ部材は、記録媒体を前記機器本体に出し入れする動作に連動して、前記挿入口の長手方向即ち挿入口内に挿入される記録媒体の表面に対し交差する方向に沿って移動されて、前述した閉塞位置と前記開放位置とに亘って移動される。
【発明の概要】
【発明が解決しようとする課題】
【０００４】
前述した従来のシャッタ部材は、閉塞位置において、その上縁の長手方向の中央部にガイド部材を内側に位置付ける切欠きが設けられている。なお、このガイド部材は、前記機器本体に取り付けられて前記記録媒体を案内する部材である。前記切欠きは、閉塞位置において、シャッタ部材がガイド部材に接触して、当該ガイド部材が傷つくことを防止するために設けられている。
【０００５】
このように、従来のシャッタ部材には、前述した切欠きが設けられている。このために、前記シャッタ部材は、閉塞位置に位置付けられた状態であっても、前記切欠き内に挿入された記録媒体によりこじ開けられて、開放位置に向かって移動してしまうことが考えられる。
【０００６】
そして、挿入口が開放されて、記録媒体が機器本体内に挿入されてしまうことが考えられる。この場合、機器本体内に既に記録媒体を収容している状態であっても、他の記録媒体が機器本体内に挿入してしまうなどの誤挿入が生じ、前述した情報処理装置の故障の原因となる虞がある。
【０００７】
したがって、本発明の目的の一例は、挿入口が塞がれた状態で無理に記録媒体が挿入されようとしても、挿入口を閉じたままに保つことができるシャッタ部材及びシャッタ部材を備えた情報処理装置を提供することにある。
【課題を解決するための手段】
【０００８】
前記課題を解決し目的を達成するために、請求項１に記載の本発明は、機器本体に設けられかつ内側に記録媒体が通される挿入口が塞がれる閉塞位置と、前記挿入口が開放される開放位置とに亘って移動自在に設けられたシャッタ部材において、前記機器本体に前記閉塞位置と前記開放位置とに亘って移動自在に設けられたシャッタ本体と、前記シャッタ本体の前面から凹でかつ前記記録媒体の外縁が挿入可能な挿入凹部と、を備えたことを特徴としている。
【図面の簡単な説明】
【０００９】
【図１】本発明の一実施例にかかるＣＤプレーヤの斜視図である。
【図２】図１に示されたＣＤプレーヤのシャーシ本体及び開閉機構などを示す斜視図である。
【図３】図２に示された開閉機構のシャッタ部材が閉塞位置に位置付けられた状態を示す斜視図である。
【図４】図１に示されたＣＤプレーヤを模式的に示す説明図である。
【図５】図４に示されたＣＤプレーヤにＣＤを挿入し始めた状態を模式的に示す説明図である。
【図６】図５に示されたＣＤプレーヤに挿入されたＣＤがクランプ再生ユニットにクランプされた状態を模式的に示す説明図である。
【図７】図３に示されたＣＤプレーヤの要部を拡大して示す斜視図である。
【図８】図８に示されたＣＤプレーヤのシャッタ部材の挿入凹部内にＣＤの外縁を挿入した状態を示す斜視図である。
【図９】図３に示されたＣＤプレーヤのシャッタ部材とディスクガイドなどを示す正面図である。
【図１０】図９中のＸ−Ｘ線に沿う断面図である。
【図１１】図９中のＸＩ−ＸＩ線に沿う断面図である。
【図１２】図３に示されたＣＤプレーヤのシャッタ部材とディスクガイドなどを模式的に示す断面図である。
【図１３】図１２に示されたＣＤプレーヤのディスクガイドにＣＤを近づけた状態を模式的に示す断面図である。
【図１４】図１３に示されたＣＤプレーヤの挿入凹部内にＣＤの外縁を挿入した状態を示す断面図である。
【発明を実施するための形態】
【００１０】
以下、本発明の一実施形態にかかる情報処理装置を説明する。本発明の一実施形態にかかるシャッタ部材は、シャッタ本体の前面から凹でかつ記録媒体の外縁が挿入可能な挿入凹部を備えているので、閉塞位置に位置付けられて記録媒体でこじ開けようとされても、当該記録媒体がシャッタ本体に設けられた挿入凹部内に侵入する。このために、こじ開けようとする記録媒体がシャッタ本体と挿入口との間に侵入することを防止でき、無理に挿入口をこじあけようとする記録媒体によりシャッタ本体が開放位置まで移動してしまうことを防止できる。よって、挿入口が塞がれた状態で無理に記録媒体が挿入されようとしても、挿入口を閉じたままに保つことができる。
【００１１】
また、本実施形態では、部材用切欠きを互いの間に位置付ける位置に挿入凹部を一対設けてもよい。この場合、部材用切欠きに通されて挿入口をこじ開けようとする記録媒体が当該挿入凹部内に確実に侵入する。このために、挿入口が塞がれた状態で無理に記録媒体が挿入されようとしても、挿入口を確実に閉じたままに保つことができる。
【００１２】
さらに、挿入凹部を、その上縁内面と下縁内面との間にガイド部材の下面を位置付ける位置に設けてもよい。この場合、部材用切欠き内に挿入された記録媒体の外縁部がガイド部材に接触して、当該ガイド部材に案内されて、挿入凹部内に侵入する。このために、部材用切欠きを通して挿入口をこじ開けようとする記録媒体が当該挿入凹部内に確実に侵入して、挿入口が塞がれた状態で無理に記録媒体が挿入されようとしても、挿入口を確実に閉じたままに保つことができる。
【００１３】
また、挿入凹部が、本体部材の前面に取り付けられた前面側部材に設けられても良い。この場合、挿入凹部が本体部材よりも機器本体の外側寄りに配置されることとなるので、シャッタ部材をこじ開けようとする記録媒体の外縁が速やかに、当該挿入凹部内に侵入することとなる。よって、挿入口が塞がれた状態で無理に記録媒体が挿入されようとしても、挿入口をより確実に閉じたままに保つことができる。
【００１４】
また、本実施形態では、前述したシャッタ部材を備えた情報処理装置としてもよい。この場合、シャッタ部材が閉塞位置に位置付けられて記録媒体でこじ開けようとされても、当該記録媒体がシャッタ本体に設けられた挿入凹部内に侵入する。このために、こじ開けようとする記録媒体がシャッタ本体と挿入口との間に侵入することを防止でき、無理に挿入口をこじあけようとする記録媒体によりシャッタ本体が開放位置まで移動してしまうことを防止できる。よって、挿入口が塞がれた状態で無理に記録媒体が挿入されようとしても、挿入口を閉じたままに保つことができる。
【実施例】
【００１５】
以下、本発明の一実施例にかかる情報処理装置の一例としてのＣＤプレーヤ１を、図１ないし図１４に基づいて説明する。図１などに示すＣＤプレーヤ１は、移動体としての自動車のインストルメントパネル（以下、インパネと呼ぶ）などに取り付けられて、記録媒体としてのＣＤ２（図１３及び図１４に一部示す）を一枚収容して、このＣＤ２に記録された情報を読み出（再生）して、音声として出力する装置である。ＣＤ２は、勿論、円板状即ちディスク状に形成されており、コンピュータなどの電子機器で読みとることのできる情報を記録した記録媒体である。
【００１６】
ＣＤプレーヤ１は、図１に示すように、機器本体３（図１に示す）と、搬送手段としての搬送ユニット５（図４ないし図６に示す）と、クランプ再生手段としてのクランプ再生ユニット６（図４ないし図６に示す）と、図示しない連動手段としての連動機構と、開閉機構４（図４ないし図６に示す）とを備えている。なお、以下、ＣＤ２の表面と搬送ユニット５のＣＤ２の搬送方向との双方と平行な図１中の矢印ＹをＣＤプレーヤ１の奥行き方向と記し、ＣＤ２の表面と平行でかつ前記奥行き方向Ｙと直交する矢印ＸをＣＤプレーヤ１の幅方向と記し、ＣＤ２の表面と奥行き方向Ｙと幅方向Ｘの全てと直交する矢印ＺをＣＤプレーヤ１の厚み方向と記す。
【００１７】
機器本体３は、合成樹脂や金属等からなる図１に示す外側ケース８と、図２及び図３に示すシャーシ本体９とを備えている。
【００１８】
外側ケース８は、扁平な箱状に形成されている。外側ケース８の前述したインパネに取り付けると乗員に相対する前面８ａ（図１に示す）には、ＣＤ２を出し入れ可能な挿入口１０が一つ設けられている。なお、前面８ａは、外側ケース８即ちＣＤプレーヤ１がインパネに取り付けられると、該インパネの外側に露出する外側ケース８の一つの面である。
【００１９】
挿入口１０は、外側ケース８の外壁を貫通している。挿入口１０は、内側にＣＤ２を通すことができる。挿入口１０を通して、前記ＣＤ２は、外側ケース８即ち機器本体３内に収容されたり、該機器本体３内から排出される。即ち、挿入口１０は、ＣＤ２を機器本体３に出し入れ自在とする。
【００２０】
さらに、前述した前面８ａには、表示パネル１１と、各種のスイッチ１２とが設けられている。
【００２１】
表示パネル１１は、前面８ａに露出して、使用者に対し各種の情報を表示する表示領域としての表示面を備えている。表示パネル１１は、表示面に再生中のプログラム名等の情報を表示する。
【００２２】
各種のスイッチ１２は、使用者が操作するための操作部を構成している。スイッチ１２が使用者などに操作されることによって、例えば、クランプ再生ユニット６が再生するＣＤ２のプログラムの選択やＣＤ２の出し入れなどが行われる。
【００２３】
シャーシ本体９は、図２及び図３などに示すように、複数の折り曲げられた板金などが互いに取り付けられて構成されている。シャーシ本体９は、図２に示すように、略平坦な底壁１３と、該底壁１３に間隔をおいて相対する略平坦な天井壁１５と、これらの底壁１３と天井壁１５とに連なる複数の周壁１４と、を備えている。これらの壁１３，１４，１５には、それぞれ、前記シャーシ本体９の軽量化と剛性の確保とのために、複数の開口部が設けられている。
【００２４】
なお、複数の周壁１４のうち図２及び図３中の手前側に位置しかつ前記挿入口１０が設けられた機器本体３の外壁に重なる一つの周壁１４には、前述した挿入口１０と連通する挿入口１６（図２に示す）が設けられている。挿入口１６は、勿論、前記一つの周壁１４を貫通して、内側にＣＤ２を通すことができ、ＣＤ２を機器本体３に出し入れ自在とする。
【００２５】
搬送ユニット５は、図４ないし図６などに示すように、ローラアーム１８と、ディスクガイド１７と、を備えている。ローラアーム１８は、挿入口１０の近傍に配されている。ローラアーム１８は、板金などからなるアーム本体１９と、搬送ローラ２２とを備えている。
【００２６】
アーム本体１９は、長手方向が幅方向Ｘと平行な帯状に形成されている。アーム本体１９は、当該アーム本体１９自体の幅方向の中央部を中心として底壁１３に回転自在に支持されている。アーム本体１９の回転中心は、幅方向Ｘと平行である。アーム本体１９は、当該アーム本体１９自体の機器本体３の奥側の一方の縁部が底壁１３から離れる方向に、図示しないコイルばねなどによって付勢されている。
【００２７】
搬送ローラ２２は、アーム本体１９の前記一方の縁部に回転自在に支持されている。搬送ローラ２２の回転中心は、幅方向Ｘと平行である。搬送ローラ２２の一端部には、図示しない歯車が取り付けられている。アーム本体１９の前記一方の縁部が底壁１３から離れた状態において、搬送ローラ２２の歯車は、モータなどにより回転駆動される歯車と噛み合う。搬送ローラ２２は、前記歯車などを介して、モータの回転駆動力によって回転される。アーム本体１９の前記一方の縁部が底壁１３に近づいた状態において、搬送ローラ２２の歯車は、前述した歯車と噛み合わない。
【００２８】
ディスクガイド１７は、ＣＤ２に対する摩擦係数の小さい合成樹脂で構成され、かつその長手方向が幅方向Ｘと平行な帯状に形成されている。ディスクガイド１７は、機器本体３のシャーシ本体９の天井壁１５の挿入口１６寄りの縁部に重ねられて、当該天井壁１５に取り付けられている。ディスクガイド１７は、その長手方向即ち幅方向Ｘの中央部に前述した一つの周壁１４から突出したガイド部材としてのガイド板部２０が一体に設けられている。ガイド板部２０の先端における下面２０ａには、図１１などに示すように、機器本体３の奥に向かうにしたがって徐々に下方に向かうに厚み方向Ｚと奥行き方向Ｙとの双方に対して傾斜したテーパ面２１が設けられている。
【００２９】
前述した構成の搬送ローラ２２とディスクガイド１７は、ローラアーム１８がその中央部を中心として回転されることで、互いに接離自在に設けられている。搬送ローラ２２とディスクガイド１７は、互いに近づいて互いの間にＣＤ２を挟んで、搬送ローラ２２がモータにより回転駆動されることで、機器本体３にＣＤ２を出し入れする。搬送ローラ２２がＣＤ２を機器本体３に出し入れする際に、ディスクガイド１７及びガイド板部２０は、機器本体３に出し入れされるＣＤ２を、クランプ再生ユニット６がクランプできる位置などに案内する。
【００３０】
クランプ再生ユニット６は、図４ないし図６に示すように、キャリッジシャーシ２３と、クランプアーム２４と、を備えている。キャリッジシャーシ２３は、板金などからなるシャーシ本体２５と、該シャーシ本体２５に取り付けられた図示しない回転テーブルと、シャーシ本体２５に取り付けられた図示しないピックアップ部と、を備えている。
【００３１】
シャーシ本体２５は、略平板状に形成されている。回転テーブルは、シャーシ本体２５に回転自在に支持されている。回転テーブルは、ＣＤ２の中央孔内に侵入する。回転テーブルは、シャーシ本体２５に取り付けられたスピンドルモータの駆動力によって、ＣＤ２を回転させる。
【００３２】
光ピックアップ部は、ＣＤ２に記録された情報を読みとるための光ピックアップと、該光ピックアップを回転テーブルに対し接離させる駆動機構などを備えている。
【００３３】
クランプアーム２４は、板金などからなるアーム本体２６と、クランパ２７と、を備えている。アーム本体２６は、略平板状に形成されている。キャリッジシャーシ２３のシャーシ本体２５に、挿入口１０から離れた端部を中心として回転自在に支持されている。アーム本体２６の回転中心は幅方向Ｘと平行である。アーム本体２６がシャーシ本体２５に近づいた状態では、シャーシ本体２５とアーム本体２６とが略平行になる。
【００３４】
クランパ２７は、回転テーブルに相対する位置に配されている。クランパ２７は、円板状に形成されているとともに、アーム本体２６に回転自在に支持されている。クランパ２７は、アーム本体２６がシャーシ本体２５と略平行な状態となると、回転テーブルとの間にＣＤ２を挟むことができる。さらに、クランプ再生ユニット６のキャリッジシャーシ２３とクランプアーム２４とは、図示しないばねなどの付勢手段により互いに近づく方向に付勢されている。
【００３５】
また、前述した構成のクランプ再生ユニット６は、図示しないゴムなどの弾性体からなるダンパと、コイルばねなどによって、前記機器本体３に対し移動自在にシャーシ本体９内に支持される。クランプ再生ユニット６は、クランプアーム２４のアーム本体２６がキャリッジシャーシ２３に回転自在に支持されることで、これらのキャリッジシャーシ２３とクランプアーム２４とが互いに接離自在に設けられている。クランプ再生ユニット６は、クランプアーム２４とキャリッジシャーシ２３とが互いに近づいて、回転テーブルとクランパ２７との間にＣＤ２を挟んで（即ち互いの間にＣＤ２を挟んでクランプし）、回転テーブル５５でＣＤ２を回転させ光ピックアップ部で該ＣＤ２内の情報を読み出す。
【００３６】
そして、クランプ再生ユニット６は、前記自動車の走行中の振動によって機器本体３が振動しても、前記ダンパとコイルばねとによってシャーシ本体９に対し移動する。このように、前記ダンパとコイルばねなどは、前記自動車の走行中の振動などが前記ＣＤ２の情報を読み出す作業に悪影響を与えることを防止する。
【００３７】
連動機構は、機器本体３内にＣＤ２を収容する前には、図４に示すように、搬送ユニット５のローラアーム１８の搬送ローラ２２とディスクガイド１７とを互いに近づけ、クランプ再生ユニット６のキャリッジシャーシ２３とクランプアーム２４とを互いに遠ざけておく。
【００３８】
そして、連動機構は、図５に示すように、機器本体３にＣＤ２が挿入されると、搬送ローラ２２の回転駆動によりＣＤ２がキャリッジシャーシ２３とクランプアーム２４との間に位置付けられると、図６に示すように、クランプ再生ユニット６の回転テーブルとクランパとを互いに近づけて当該クランプ再生ユニット６にＣＤ２をクランプさせるとともに、搬送ローラ２２がディスクガイド１７から離れる方向にローラアーム１８を回転させる。このように、連動機構は、機器本体３内にＣＤ２を収容すると、搬送ユニット５のローラアーム１８の搬送ローラ２２とディスクガイド１７とを互いに離し、クランプ再生ユニット６のキャリッジシャーシ２３とクランプアーム２４とを互いに近づける。
【００３９】
このように、連動機構７は、クランプ再生ユニット６のキャリッジシャーシ２３とクランプアーム２４とが互いに近づくと、搬送ユニット５のローラアーム１８の搬送ローラ２２とディスクガイド１７とが互いに離れるとともに、搬送ユニット５のローラアーム１８の搬送ローラ２２とディスクガイド１７とが互いに近づくと、クランプ再生ユニット６のキャリッジシャーシ２３とクランプアーム２４とが互いに離れるように、クランプ再生ユニット６の動作と搬送ユニット５の動作とを互いに連動させる。
【００４０】
開閉機構４は、図９などに示すように、図示しないリンク部と、シャッタ部材２８とを備えている。リンク部は、搬送ユニット５のローラアーム１８とシャッタ部材２８とにリンクして、これらを互いに連動させて移動させる。リンク部は、搬送ユニット５の搬送ローラ２２とディスクガイド１７とが互いに近づいた状態即ち機器本体３内にＣＤ２を収容していない状態で、シャッタ部材２８を挿入口１６が開放される開放位置に位置付け、搬送ユニット５の搬送ローラ２２とディスクガイド１７とが互いに離れた状態即ち機器本体３内にＣＤ２を収容した状態で、シャッタ部材２８を挿入口１６が塞がれる閉塞位置に位置付けるように、ローラアーム１８とシャッタ部材２８とを互いに連動させて移動させる。
【００４１】
シャッタ部材２８は、図２、図３及び図９に示すように、前記一つの周壁１４の前面側（機器本体３の外側）に重ねられたシャッタ本体２９と、このシャッタ本体２９の前面（機器本体３の外側寄りの表面）から凹に設けられた挿入凹部３０とを備えている。シャッタ本体２９は、本体部材としての板金部材３１と、この板金部材３１の前面（機器本体３の外側寄りの表面）に取り付けられた一対の前面側部材３２とを備えている。
【００４２】
板金部材３１は、板金で構成されかつ前記周壁１４の幅の約１／２程度の幅の帯板状に形成されているとともに、前記一つの周壁１４の前面に重ねられて厚み方向Ｚに沿って移動自在に前記一つの周壁１４に取り付けられている。板金部材３１は、前述したリンク部に連結しており、前述した搬送ユニット５のローラアーム１８の動きに連動して、前述した挿入口１６が塞がれる閉塞位置と挿入口１６が開放される開放位置とに亘って移動される。閉塞位置では、勿論、板金部材３１が、挿入口１６を塞ぐ。こうして、板金部材３１は、機器本体３の一つの周壁１４に前記閉塞位置と前記開放位置とに亘って移動自在に取り付けられている。シャッタ本体２９即ちシャッタ部材２８は、板金部材３１が機器本体に前記閉塞位置と前記開放位置とに亘って移動自在に取り付けられていることで、前記閉塞位置と前記開放位置とに亘って移動自在に設けられている。
【００４３】
シャッタ本体２９の板金部材３１の長手方向の中央部即ち幅方向Ｘの中央部には、図９に示すように、部材用切欠き３３と中央凸部３４とが設けられている。部材用切欠き３３は、板金部材３１の天井壁１５寄りの縁から当該板金部材３１自体の一部を切り欠いて構成されている。中央凸部３４は、板金部材３１の一部が他の部分よりも機器本体３の外側に突出して形成されており、その前端面が幅方向Ｘと厚み方向Ｚとの双方に対して平行に平坦に形成されている。板金部材３１、シャッタ本体２９即ちシャッタ部材２８は、閉塞位置に位置付けられると、部材用切欠き３３の内側にディスクガイド１７のガイド板部２０を位置付ける。部材用切欠き３３は、その内側にディスクガイド１７のガイド板部２０を位置付けることで、閉塞位置に位置付けられたシャッタ部材２８のシャッタ本体２９の板金部材３１がディスクガイド１７のガイド板部２０を傷つけることを防止する。
【００４４】
一対の前面側部材３２は、それぞれがＣＤ２に対する摩擦係数の低い合成樹脂で構成され、かつ、板金部材３１の長手方向即ち幅方向Ｘに沿って互いに間隔をあけて設けられている。一対の前面側部材３２は、板金部材３１のディスクガイド１７寄りの縁に被せられた状態で、当該板金部材３１の前面（機器本体３の外側寄りの表面）に取り付けられている。また、一対の前面側部材３２は、互いの間に中央凸部３４を位置付ける位置に設けられている。前面側部材３２は、それぞれ、機器本体３の挿入口１０が設けられた外壁寄り即ち機器本体３の外側に位置する前面３２ａに挿入凹部３０を設けている。即ち、開閉機構４は、一対の挿入凹部３０を備えている。なお、前面３２ａは、シャッタ本体２９の前面をなしている。
【００４５】
挿入凹部３０は、前記前面３２ａから凹に形成されているとともに、一対の前面側部材３２の互いに近接する縁部に設けられている。また、挿入凹部３０は、一対の前面側部材３２の互いに近接する縁部に設けられていることで、互いの間に部材用切欠き３３を位置付ける位置に設けられている。また、挿入凹部３０の厚み方向Ｚの幅は、前述したＣＤ２の厚みよりも広く形成されている。
【００４６】
挿入凹部３０は、前面側部材３２の互いに近接する縁部から幅方向Ｘに沿って、一対の前面側部材３２が互いに近づく方向に直線状に延在している。また、挿入凹部３０の底面３０ａは、図１０に示すように、一対の前面側部材３２が互いに近づくのにしたがって徐々に機器本体３の奥に向かうように前記幅方向Ｘと奥行き方向Ｙとの双方に対して傾斜している。更に、挿入凹部３０の厚み方向Ｚに沿って互いに間隔をあけて相対する上縁内面３０ｂと下縁内面３０ｃとは、図１１に示すように、それぞれ、幅方向Ｘと奥行き方向Ｙとの双方に対して平行に平坦に形成されている。また、上縁内面３０ｂと下縁内面３０ｃとは、互いの間にディスクガイド１７のガイド板部２０の下面２０ａのテーパ面２１を位置付ける位置に設けられている。なお、上縁内面３０ｂと下縁内面３０ｃとが、互いの間にディスクガイド１７のガイド板部２０の下面２０ａを位置付けるとは、図１１に示すように、厚み方向Ｚの同一断面において、上縁内面３０ｂと下縁内面３０ｃとの間にディスクガイド１７のガイド板部２０の下面２０ａのテーパ面２２が位置することをいう。
【００４７】
前述した開閉機構４によれば、ＣＤ２を機器本体３内に収容する前では、図２及び図４に示すように、シャッタ部材２８が開放位置に位置付けられて、挿入口１６が開放されている。そして、開閉機構４は、ＣＤ２を機器本体３内に収容すると、図７及び図１２に示すように、シャッタ部材２８が閉塞位置に位置付けられて、挿入口１６が塞がれている。このとき、勿論、ディスクガイド１７のガイド板部２０が部材用切欠き３３内に位置付けられる。この状態で、図１３に示すように、シャッタ部材２８のガイド板部２０とシャッタ部材２８との間即ち部材用切欠き３３内にＣＤ２の外縁が近づけられると、当該ＣＤ２がディスクガイド１７のガイド板部２０の下面２０ａに当接する。すると、当該下面２０ａのテーパ面２２に沿ってＣＤ２が移動して、図８及び図１４に示すように、当該ＣＤ２の外縁が挿入凹部３０内に侵入する。そして、図１４中の点線のようにＣＤ２で挿入口１６をこじ開けようとして、当該ＣＤ２の外縁が挿入凹部３０内に侵入しているので、シャッタ部材２８を下方即ち開放位置まで移動させることがない。
【００４８】
本実施例によれば、シャッタ部材２８は、ＣＤ２の外縁を挿入可能な挿入凹部３０を備えているので、閉塞位置に位置付けられてＣＤ２でこじ開けようとされても、当該ＣＤ２が挿入凹部３０内に侵入する。このために、こじ開けようとするＣＤ２がシャッタ本体２９と挿入口１６との間に侵入することを防止でき、無理に挿入口１６をこじあけようとするＣＤ２によりシャッタ本体２９が開放位置まで移動してしまうことを防止できる。よって、挿入口１６が塞がれた状態で無理にＣＤ２が挿入されようとしても、挿入口１６を閉じたままに保つことができる。
【００４９】
また、部材用切欠き３３を互いの間に位置付ける位置に挿入凹部３０を一対設けている。このために、部材用切欠き３３に通されて挿入口１６をこじ開けようとするＣＤ２が当該挿入凹部３０内に確実に侵入する。このために、挿入口１６が塞がれた状態で無理にＣＤ２が挿入されようとしても、挿入口１６を確実に閉じたままに保つことができる。
【００５０】
さらに、挿入凹部３０を、その上縁内面３０ｂと下縁内面３０ｃとの間にディスクガイド１７のガイド板部２０の下面２０ａを位置付ける位置に設けている。このために、部材用切欠き３３内に挿入されたＣＤ２の外縁部がディスクガイド１７のガイド板部２０に接触して、当該ガイド板部２０に案内されて、挿入凹部３０内に侵入する。このために、部材用切欠き３３を通して挿入口１６をこじ開けようとするＣＤ２が当該挿入凹部３０内に確実に侵入して、挿入口１６が塞がれた状態で無理にＣＤ２が挿入されようとしても、挿入口１６を確実に閉じたままに保つことができる。
【００５１】
また、挿入凹部３０が、板金部材３１の前面に取り付けられた前面側部材３２に設けられている。このために、挿入凹部３０が板金部材３１よりも機器本体３の外側寄りに配置されることとなるので、シャッタ部材２８をこじ開けようとするＣＤ２の外縁が速やかに、挿入凹部３０内に侵入することとなる。よって、挿入口１６が塞がれた状態で無理にＣＤ２が挿入されようとしても、挿入口１６をより確実に閉じたままに保つことができる。
【００５２】
また、ＣＤプレーヤ１は、前述したシャッタ部材２８を備えているので、シャッタ部材２８が閉塞位置に位置付けられてＣＤ２でこじ開けようとされても、当該ＣＤ２が挿入凹部３０内に侵入する。このために、こじ開けようとするＣＤ２がシャッタ本体２９と挿入口１６との間に侵入することを防止でき、無理に挿入口１６をこじあけようとするＣＤ２によりシャッタ本体２９が開放位置まで移動してしまうことを防止できる。よって、挿入口１６が塞がれた状態で無理にＣＤ２が挿入されようとしても、挿入口１６を閉じたままに保つことができる。
【００５３】
前述した実施例によれば、以下のシャッタ部材２８が得られる。
【００５４】
（付記）  機器本体３に設けられかつ内側にＣＤ２が通される挿入口１６が塞がれる閉塞位置と、前記挿入口１６が開放される開放位置とに亘って移動自在に設けられたシャッタ部材２８において、
前記機器本体３に前記閉塞位置と前記開放位置とに亘って移動自在に設けられたシャッタ本体２９と、
前記シャッタ本体２９の前面３２ａから凹でかつ前記ＣＤ２の外縁が挿入可能な挿入凹部３０と、
を備えたことを特徴とするシャッタ部材２８。
【００５５】
付記によれば、シャッタ部材２８は、ＣＤ２の外縁を挿入可能な挿入凹部３０を備えているので、閉塞位置に位置付けられてＣＤ２でこじ開けようとされても、当該ＣＤ２が挿入凹部３０内に侵入する。このために、こじ開けようとするＣＤ２がシャッタ本体２９と挿入口１６との間に侵入することを防止でき、無理に挿入口１６をこじあけようとするＣＤ２によりシャッタ本体２９が開放位置まで移動してしまうことを防止できる。よって、挿入口１６が塞がれた状態で無理にＣＤ２が挿入されようとしても、挿入口１６を閉じたままに保つことができる。
【００５６】
本発明では、ＣＤ２に限らず、種々の記録媒体から情報を読み出す情報処理装置としても良い。
【００５７】
なお、前述した実施例は本発明の代表的な形態を示したに過ぎず、本発明は、実施例に限定されるものではない。即ち、本発明の骨子を逸脱しない範囲で種々変形して実施することができる。
【符号の説明】
【００５８】
１  ＣＤプレーヤ（情報処理装置）
２  ＣＤ（記録媒体）
３  機器本体
１６  挿入口
２０  ガイド板部（ガイド部材）
２０ａ  下面
２８  シャッタ部材
２９  シャッタ本体
３０  挿入凹部
３０ｂ  上縁内面
３０ｃ  下縁内面
３１  板金部材（本体部材）
３２  前面側部材
３２ａ  前面
【図１】
2011192362.tif 000003
【図２】
2011192362.tif 000004
【図３】
2011192362.tif 000005
【図４】
2011192362.tif 000006
【図５】
2011192362.tif 000007
【図６】
2011192362.tif 000008
【図７】
2011192362.tif 000009
【図８】
2011192362.tif 000010
【図９】
2011192362.tif 000011
【図１０】
2011192362.tif 000012
【図１１】
2011192362.tif 000013
【図１２】
2011192362.tif 000014
【図１３】
2011192362.tif 000015
【図１４】
2011192362.tif 000016